(57)【要約】【課題】  捕獲を所望する猪以外の動物や人間の子供については、自力で脱出が可能な猪用捕獲装置を提供する。【解決手段】  猪捕獲装置は、猪が進入可能で且つ開閉可能な前面開口部を有する前面部を備える。猪が進入可能で且つ開閉可能な背面開口部を有する背面部を備える。猪が進入できない格子形状の第１、第２側面部を備える。地面から１．２ｍ以上の高さ位置に猪以外の動物や人間の子供が脱出可能な上面開口部を有する上面部を備える。装置全体を地面に固定する下面部を備える。前面開口部の開閉は鉛直方向のスライド移動により遮断が可能で格子形状の前面落とし戸によって行われる。背面開口部の開閉は、鉛直方向のスライド移動により遮断が可能で格子形状の背面落とし戸によって行われる。【選択図】        図１
2005095099.tif 000002
【特許請求の範囲】
【請求項１】
猪が進入可能で且つ開閉可能な前面開口部を有する前面部と、
猪が進入できない格子形状、又は猪が進入可能で且つ開閉可能な背面開口部を有する背面部と、
猪が進入できない格子形状の第１、第２側面部と、
地面から１．２ｍ以上の高さ位置に猪以外の動物や人間の子供が脱出可能な上面開口部を有する上面部と、
装置全体を地面に固定する下面部とを備える猪捕獲装置。
【請求項２】
前記前面開口部の開閉は、鉛直方向のスライド移動により遮断が可能で猪が進入できない格子形状の前面落とし戸によって行われることを特徴とする請求項１に記載の猪捕獲装置。
【請求項３】
前記背面開口部の開閉は、鉛直方向のスライド移動により遮断が可能で猪が進入できない格子形状の背面落とし戸によって行われることを特徴とする請求項１に記載の猪捕獲装置。
【請求項４】
前記上面部は、前記前面部、前記背面部、前記第１、第２側面部のそれぞれの上辺を下底とし、上底が前記上面部の中央部に向かって且つ斜め上方向に向かって配置される台形形状で猪が進入できない格子形状の第１、第２、第３、第４忍び返しを少なくとも１以上有することを特徴とする請求項１に記載の猪捕獲装置。
【請求項５】
前記第１、第３忍び返しはそれぞれの斜辺部分で隣接し、前記第３、第２忍び返しはそれぞれの斜辺部分で隣接し、前記第２、第４忍び返しはそれぞれの斜辺部分で隣接し、前記第４、第１忍び返しはそれぞれの斜辺部分で隣接し、前記第１、第２、第３、第４忍び返しは四角錐台形状を形成することを特徴とする請求項４に記載の猪捕獲装置。
【発明の詳細な説明】
【技術分野】
【０００１】
本発明は、猪の捕獲装置に関し、特に、猪以外の動物や人間の子供は脱出が可能な捕獲装置に関する。
【背景技術】
【０００２】
近年、猪による農作物の被害が増大する傾向にあり、被害の防止の観点から種々の捕獲装置が考案されている。
【０００３】
特許文献１は、その一例で格子形状の柵で覆われた檻で、その中の仕掛け装置によって適当なタイミングでその一面又は対向する二面にある落とし戸を遮断させることにより猪などの動物を捕獲する捕獲装置を開示する。
【特許文献１】実公昭４８−３７７３３号公報
【発明の開示】
【発明が解決しようとする課題】
【０００４】
しかし、この捕獲装置では、捕獲目的の猪だけでなく、他の動物も捕獲できてしまう。地方自治体の条例により熊の捕獲が禁止されている地域もあるが、この捕獲装置では、捕獲された動物などが自力で脱出できないため熊などの捕獲対象でない動物も捕獲してしまう。また、人間の子供が誤って捕獲装置内に入り込んで出られなくなる事故も起きる。
【０００５】
したがって本発明の目的は、捕獲を所望する猪以外の動物や人間の子供については、自力で脱出が可能な猪用捕獲装置を提供することである。
【課題を解決するための手段】
【０００６】
本発明に係る猪捕獲装置は、猪が進入可能で且つ開閉可能な前面開口部を有する前面部と、猪が進入できない格子形状又は猪が進入可能で且つ開閉可能な背面開口部を有する背面部と、猪が進入できない格子形状の第１、第２側面部と、地面から１．２ｍ以上の高さ位置に猪以外の動物や人間の子供が脱出可能な上面開口部を有する上面部と、装置全体を地面に固定する下面部とを備える。これにより、猪は捕獲装置に入った後脱出することはできないが、猪以外の動物又は人間の子供が捕獲装置に入ってしまった場合でも上面開口部から脱出が可能である。また背面部も開口部を有する場合は、対向する前面部、背面部が開口する形になり、猪にとって捕獲装置を感じさせにくい効果がある。
【０００７】
好ましくは、前面開口部の開閉は、鉛直方向のスライド移動により遮断が可能で猪が進入できない格子形状の前面落とし戸によって行われる。
【０００８】
また、好ましくは、背面開口部の開閉は、鉛直方向のスライド移動により遮断が可能で猪が進入できない格子形状の背面落とし戸によって行われる。
【０００９】
また、好ましくは、上面部は、前面部、背面部、第１、第２側面部のそれぞれの上辺を下底とし、上底が上面部の中央部に向かって且つ斜め上方向に向かって配置される台形形状で猪が進入できない格子形状の第１、第２、第３、第４忍び返しを少なくとも１以上有する。これにより、捕獲装置内に入った猪からみて上面部から跳躍により脱出しにくい圧迫感を与えることが可能になる。
【００１０】
さらに好ましくは、第１、第３忍び返しはそれぞれの斜辺部分で隣接し、第３、第２忍び返しはそれぞれの斜辺部分で隣接し、第２、第４忍び返しはそれぞれの斜辺部分で隣接し、第４、第１忍び返しはそれぞれの斜辺部分で隣接し、第１、第２、第３、第４忍び返しは四角錐台形状を形成する。
【発明の効果】
【００１１】
以上のように本発明によれば、捕獲を所望する猪以外の動物や人間の子供については、自力で脱出が可能な猪用捕獲装置を提供することが可能となる。
【発明を実施するための最良の形態】
【００１２】
以下、本発明の実施形態について説明する。図１、図２は、捕獲前と捕獲後の猪捕獲装置１の全体斜視図である。図３は、猪捕獲装置１の側面図である。
【００１３】
本実施形態における猪用捕獲装置１は、前面部１０、背面部２０、第１、第２側面部３０、４０、上面部５０、及び下面部６０で囲まれる。
【００１４】
前面部１０、捕獲対象の猪が進入可能で且つ開閉可能な前面開口部１１を有する。前面開口部１１は、前面部１０において鉛直方向にスライド移動が可能な前面落とし戸１２によって開閉される。前面落とし戸１２は、猪が脱出できない程度の格子形状を有し、前面落とし戸枠１３に取り付けられ鉛直方向に移動可能である。猪などの捕獲待機状態においては、前面落とし戸１２は前面開口部１１が開口するように（図１参照）、前面落とし戸枠１３の上方部分で支持される（支持装置は不図示）。捕獲時においては、落とし戸１２は下方に移動し前面開口部１１を遮断する（図２参照）。前面落とし戸１２による前面開口部１１の遮断動作は、図示しない仕掛け装置によって行われる。前面開口部１１から動物等が進入した際、捕獲装置１内にある仕掛け装置が感知し、その感知により機械式または電気式に前面落とし戸枠１３の上方支持を外し、これにより前面落とし戸１２は自重で落下し前面開口部１０を遮断する。
【００１５】
背面部２０においても同様の構造の背面開口部２１、背面落とし戸２２、背面落とし戸枠２３を有する。但し、背面部２０は猪が進入及び脱出できない程度の格子形状で開口部が無い形態であってもよい。但し、この場合は、前面部１０と対向する背面部２０が開口状態とはならないので、猪などの動物にとって捕獲装置が仕掛けられていることを感じさてしまう可能性もある。
【００１６】
なお、本実施形態では、前面開口部１１の開閉を前面落とし戸１２によって行う形態を説明するが、他の開閉方法であってもよい。例えば回動式のドアや横方向のスライド式ドアなど、前面開口部１１を遮断することによってそこから脱出できず猪を閉じこめる効果がある形態であれば良い。背面開口部１１についても同様である。
【００１７】
第１、第２側面部３０、４０は、猪が脱出できない程度の格子形状を有する。第１、第２側面部３０、４０の長さは、捕獲対象の猪が捕獲装置１に進入後、前面落とし戸１２、背面落とし戸２２が落下して前面開口部１１、背面開口部２１が遮断されるまでの間にそれぞれの開口部１１、２１から脱出できない程度の長さを有する。
【００１８】
上面部５０は、下底が前面部１０の上辺に接する台形形状の第１忍び返し５１、下底が背面部２０の上辺に接する台形形状の第２忍び返し５２、下底が第１側面部３０の上辺に接する台形形状の第３忍び返し５３、下底が第２側面部４０の上辺に接する台形形状の第４忍び返し５４で構成される。第１、第３忍び返し５１、５３はその斜辺で隣接し、第３、第２忍び返し５３、５２はその斜辺で隣接し、第２、第４忍び返し５２、５４はその斜辺で隣接し、第４、第１忍び返し５４、５１はその斜辺で隣接する。第１〜第４忍び返し５１〜５４は、それぞれの台形形状の上底が上面部５０の中央部に向いて上方に傾斜し、それぞれの上底が上面部５０の内側で矩形の上面開口部５５を形成するように配置される。従って、第１〜第４忍び返しは、四角錐台形状を有する。上面部５０の内側に向いて傾斜させているのは、捕獲された猪の目からみて上面部５０の第１〜第４忍び返し５１〜５４が上から覆い被さるような印象、心理的な圧迫感を与え、上面部５０から跳躍などにより脱出しにくくさせる目的である。従って、上面部５０は、第１〜第４忍び返し５１〜５４が備えられているのが望ましいが、これらのうち１つ以上の忍び返しを備えるまたはいずれの忍び返しも備えずに上面開口部５５だけを有する構造にしてもよい。これらの場合、上面開口部５５は、前面部１０、第１側面部３０、背面部２０、第２側面部４０のそれぞれの上辺で囲まれる矩形形状で構成される。
【００１９】
第１〜第４忍び返し５１〜５４は、それぞれ台形形状の中に猪が進入できない程度の格子形状を有する。格子形状を形成する鉛直方向の棒状部材のそれぞれは、第１〜第４忍び返し５１〜５４の各台形形状の上辺部分から突き出た形状でもよいが、脱出する動物や人間の子供の安全を考慮して突き出ない形状であってもよい。
【００２０】
地面から上面開口部５５までの高さすなわち第１〜第４忍び返し５１〜５４の各上底までの高さは１．２ｍ以上とする。猪の自身の跳躍によって補角装置１から脱出できる高さの限界が１．２ｍ程度だからである。従って、このときの高さの基準面は、下面部６０が地中に埋められた後の地面をいう。上記のように、第１〜第４忍び返し５１〜５４のいずれか又は総てを使用しない場合は、上面開口部５５までの高さすなわち前面部１０、第１側面部３０、背面部２０、第２側面部の各上辺までの高さを１．２ｍ以上とする。
【００２１】
下面部６０は、捕獲装置１の形状を保持する程度の支持枠６１で構成される。下面部６０は、使用時においては、地中に埋められるなどして地面と固定されるので、下面部６０から猪が脱出することはなく格子形状にする必要はない。一方、捕獲装置１の軽量化のため、下面部６０の１面をふさぐような板状部材でなくてもよい。下面部６０を地中に埋めるなどにより地面に固定される形態の捕獲装置１は、持ち運びが可能なため、捕獲対象の猪が出没しそうな任意の場所に設置可能である。
【００２２】
捕獲装置１を使用して、猪を捕獲する手順を説明する。まず、猪が通りそうな場所に、捕獲装置１を設置する。設置では捕獲装置１の下面部６０を地中に埋めるなどして固定する。固定は、捕獲後に猪が暴れた際に捕獲装置１が動かない程度に行う。
【００２３】
次に、捕獲装置１内に仕掛け装置や餌を設置する。さらに、仕掛け装置の感知に連動する前面落とし戸１２、背面落とし戸２２を前面落とし戸枠１３、背面落とし戸枠２３の上方部分に支持する（図１参照）。対向する前面部１０と背面部２０がともに開口状態にあるため、猪などの動物にとって捕獲装置が仕掛けられていることを感じさせにくい効果がある。これで捕獲の準備は完了である。
【００２４】
捕獲準備状態で捕獲装置１を放置し、猪が捕獲装置１に進入するのを待つ。待機後、猪又は他の動物や人間の子供が捕獲装置１に進入し、仕掛け装置がこれを感知すると、前面落とし戸１２、背面落とし戸２２が仕掛け装置の感知に対応して電気式又は機械的に同時に落下し、前面部１０、背面部２０の前面開口部１１、背面開口部２１を遮断する（図２参照）。この時点で、捕獲装置１に進入した動物や人間の子供は総て一時的に捕獲装置１内に閉じこめられる。
【００２５】
しかし、猪以外であれば、前面開口部１１、背面開口部２１によって捕獲装置１内に閉じこめられても上面部５０の上面開口部５５から脱出が可能である。たとえば、野鳥などであれば飛んで上面開口部５５から脱出できる。熊や猿であれば、足を使ってよじ登り格子形状の第１側面部３０や第３忍び返し５３などをつたって上面開口部５５から脱出できる。人間の子供も同様に手足を使って上面開口部５５から脱出できる。しかし、捕獲対象の猪は足を使ってよじ登ることができない。また、跳躍力を使って飛び跳ねることはできるが、猪の跳躍力の限界高さ１．２ｍを越える高さの上面開口部５５まで飛び跳ねることはできない。特に、第１〜第４忍び返し５１〜５４の存在は、上面部５０から猪に圧迫感を与えるので、上面からの脱出が心理的にも困難になる。
【００２６】
以上の説明からわかるように、上面部５０の上面開口部５５の存在は、捕獲対象の猪にとっては脱出できない高さにある開口部であるが、野鳥、熊、猿などの捕獲の対象でない動物や人間の子供にとっては、脱出可能な開口部になる。従って、捕獲装置１を使えば、捕獲を必要とする猪については捕獲後に脱出されることなく捕獲装置１内に閉じこめることが可能であるが、捕獲を必要としない他の動物や人間の子供については捕獲後に脱出させ、捕獲装置１内に閉じこめないですむ。
【図面の簡単な説明】
【００２７】
【図１】本実施形態にかかる捕獲装置１の捕獲前の全体斜視図である。
【図２】本実施形態にかかる捕獲装置１の捕獲後の全体斜視図である。
【図３】本実施形態にかかる捕獲装置１の側面図である。
【符号の説明】
【００２８】
１  捕獲装置
１０  前面部
２０  背面部
３０  第１側面部
４０  第２側面部
５０  上面部
５５  上面開口部
６０  下面部
【図１】
2005095099.tif 000003
【図２】
2005095099.tif 000004
【図３】
2005095099.tif 000005